(57)【要約】【課題】ブルゾンや作業着等の上着を着て屋外でスポーツや作業等を行なっている時に、雨が降ってきたような場合、直ちにレインコートの上衣を取り出して、上着の上から着ることができるようにしたレインコート付き上着を提供する。【解決手段】ブルゾン等の上着１の後身頃１ｂの表面側にレインコート収納用のポケット３を設け、このポケット３にレインコート上衣２を折り畳んで収納すると共に、この上衣２の所要部をポケット３内の所要部に連結してなるレインコート付き上着Ａ。【選択図】図２
2007327145.tif 000002
【特許請求の範囲】
【請求項１】
ブルゾン等の上着の後身頃の表面側にレインコート収納用のポケットを設け、このポケットにレインコート上衣を折り畳んで収納すると共に、この上衣の所要部をポケット内の所要部に連結してなることを特徴とするレインコート付き上着。
【請求項２】
ポケット内には連結用タブを取り付け、レインコート上衣には、後身頃の裏面側で前記ポケット側連結用タブの取付位置と対応する位置に連結用タブを取り付け、このレインコート上衣側連結用タブと前記ポケット側連結用タブとをホック又はボタンで切り離し可能に連結するようにしてなることを特徴とする請求項１に記載のレインコート付き上着。
【請求項３】
ポケットの開口部にはファスナーを取り付けてなる請求項１又は２に記載のレインコート付き上着。
【請求項４】
上着の後身頃は、後身頃本体とこれの略上半部側を被う外被布からなるもので、外被布の裾部によってポケットの開口部を外側から被い隠すようになっていることを特徴とする請求項１又は２に記載のレインコート付き上着。
【発明の詳細な説明】
【技術分野】
【０００１】
本発明は、ブルゾン（ウエストをベルトやゴム布等で締めて背中がふくらんだ型のジャケットで、ジァンパーとも言う）や作業着等の上着にレインコート上衣（レインコートの上衣部分）を一体的に備えたレインコート付き上着に関するものである。
【背景技術】
【０００２】
例えばブルゾンを着て屋外でスポーツやレジャーを楽しんでいる最中に雨が降ってきた時に、笠は持ってきていたとしても、傘をさしてはそのスポーツやレジャーを続行できないような場合には、結局そのスポーツ等を中断しなければならなくなることが多い。
【発明の開示】
【発明が解決しようとする課題】
【０００３】
本発明は、上記のような実情に鑑みてなされたもので、ブルゾンや作業着等の上着を着て屋外でスポーツや作業等を行なっている最中に雨が降ってきたような場合に、直ちにレインコートを取り出して、上着の上から着ることができるようにしたレインコート付き上着を提供することを目的とする。
【課題を解決するための手段】
【０００４】
上記課題を解決するための手段を、後述する実施形態の参照符号を付して説明すると、請求項１に係る発明のレインコート付き上着は、ブルゾン等の上着１の後身頃１ｂの表面側にレインコート収納用のポケット３を設け、このポケット３にレインコート上衣２を折り畳んで収納すると共に、この上衣２の所要部をポケット３内の所要部に連結してなることを特徴とする。
【０００５】
請求項２は、請求項１に記載のレインコート付き上着において、ポケット３内には連結用タブ６を取り付け、レインコート上衣２には、後身頃１ｂの裏面側で前記ポケット側連結用タブ６の取付位置と対応する位置に連結用タブ７を取り付け、このレインコート上衣側連結用タブ７と前記ポケット側連結用タブ６とをホック９又はボタンで切り離し可能に連結するようにしてなることを特徴とする。
【０００６】
請求項３は、請求項１又は２に記載のレインコート付き上着において、ポケット３の開口部４にはファスナー５を取り付けてなることを特徴とする。
【０００７】
請求項４は、請求項１又は２に記載のレインコート付き上着において、上着１の後身頃１ｂは、後身頃本体１ｂ1 とこれの略上半部側を被う外被布１ｂ2 からなるもので、外被布１ｂ2 の裾部１ｂ20によってポケット３の開口部４を外側から被い隠すようになっていることを特徴とする。
【発明の効果】
【０００８】
上記解決手段による発明の効果を、後述する実施形態の参照符号を付して説明すると、請求項１に係る発明によれば、上着の後身頃１ｂの表面側にレインコート収納用のポケット３を設け、このポケット３にレインコート上衣２を折り畳んで収納すると共に、上衣２の所要部をポケット３内の所要部に連結しているから、上着１を着て屋外でスポーツや作業等を行なっている最中に雨が降ってきたような場合、上着１の背中側にあるポケット３からレインコート上衣２を取り出して、上着１の上から容易に着ることができ、ブルゾン等の上着１が濡れるのを避けることができる。
【０００９】
請求項２に係る発明によれば、着用者が着ている上着１のポケット３からレインコート上衣２を下方へ引っ張り出すと、レインコート上衣２は、着用者が着ている上着１とは上下逆向きとなるが、レインコート上衣２には後身頃１ｂの裏面側でポケット側連結用タブ６の取付位置と対応する位置に連結用タブ７が取り付けてあって、レインコート上衣側連結用タブ７とポケット側連結用タブ６とがホック９で連結されていることから、ポケット３から引き出した逆様状態のレインコート上衣２を、上着１と同じ上向き姿勢に引き起こしながら、このレインコート上衣２を上着１の上に羽織るようにすることによって、レインコート上衣側連結用タブ７をポケット３の連結用タブ６に連結した状態のまま、上着１の上からレインコート上衣２を簡単容易に着ることができる。また、ポケット３へのレインコート上衣２の収納も簡単容易となる。
【００１０】
請求項３に係る発明によれば、ポケット３の開口部４にファスナー５を取り付けているから、レインコート上衣２をポケット３から引き出すにあたって、ポケット３の開口部４の開放が容易となり、レインコート上衣２の着用を迅速に行なうことができる。
【００１１】
請求項４に係る発明によれば、上着１の後身頃１ｂは、後身頃本体１ｂ1 とこれの略上半部側を被う外被布１ｂ2 からなるもので、外被布１ｂ2 の裾部１ｂ20によってポケット３の開口部４を外側から被い隠すようになっているから、ポケット３の開口部４及びファスナー５が外から見えず、外観上の体裁、見栄えが良くなる。
【発明を実施するための最良の形態】
【００１２】
以下に本発明の好適な実施形態について図面に基づいて説明すると、図１の(a) は本発明に係るレインコート付き上着の正面図、(b) は背面図、図２は同レインコート付き上着のポケットを開けた状態での背面図であり、図３はレインコートの使用形態での正面図、図４は同レインコートの使用形態での背面図である。これらの図から分かるように、本発明のレインコート付き上着Ａは、例えばブルゾンからなる上着１の後身頃１ｂの表面側にレインコート収納用のポケット３を設け、このポケット３にレインコート上衣（レインコートの上衣部分）２を折り畳んで収納すると共に、このレインコート上衣２の所要部をポケット３内の所要部に切り離し可能に連結してなるものである。
【００１３】
上記レインコート付き上着Ａの構造について詳細に説明すれば、上着１は、図１及び図２に示すように、前身頃１ａ、後身頃１ｂ、両袖部１ｃ，１ｃ、襟部１ｄなどからなり、詳しい図示は省略するが、前後身頃１ａ，１ｂのウエスト部１ｅには例えばゴム布が縫い込まれるなどして適当に絞られ、それによって前身頃１ａ及び後身頃１ｂの中央部がふくらんだ所謂ブルゾン構造となっている。また、前身頃１ａは左右の身頃に分割され、その分割部にファスナー１１が取り付けられている。図中の１１ｏはファスナー１１の開閉操作用ツマミである。
【００１４】
上着１の後身頃１ｂは、後身頃本体１ｂ1 とこれの略上半部側を被う外被布１ｂ2 とによって形成されており、しかして図２に示すように後身頃本体１ｂ1 表面の略下半部側にレインコート収納用のポケット３が設けられている。
【００１５】
上記ポケット３は、図２及び図５から分かるように、後身頃本体１ｂ1 表面の略下半部側にわたって矩形状に形成されるポケット用布地３ａの周縁部を縫い付け、その上辺部に開口部４を形成すると共に、その開口部４にファスナー５を取り付けてなるものである。このポケット３には開口部４に隣接するポケット用布地３ａの上辺部裏面側に、布地からなる連結用タブ６が取り付けられ、この連結用タブ６には、後述するレインコート上衣側連結用タブ７が、複数個のホック９によって切り離し可能に連結されるようになっている（図５参照）。連結用タブ６は、後身頃本体１ｂ1 の丈の略１／２の高さ位置でポケット用布地３ａの上辺部内面側に取り付けられている。尚、図２の５ｏはファスナー５の開閉操作用ツマミである。
【００１６】
レインコート上衣２は、図３及び図４に示すように、前身頃２ａ、後身頃２ｂ、両袖部２ｃ，２ｃ及びフード２ｄからなるもので、防水加工を施した薄い布地やビニール生地によって形成されている。また、前身頃２ａ及びフード２ｄの顎当て部２ｄｏは左右に分割されて、その分割部に沿ってファスナー８が取り付けられている。そして、後身頃２ｂの内面側には、図４に点線で図示するように、後身頃２ｂの丈の略１／２のところにレインコート上衣側連結用タブ７が取り付けられ（図４参照）、このレインコート上衣側連結用タブ７には複数個のホック雄部９ａが取り付けられ、このホック雄部９ａに係着されるホック雌部９ｂがポケット３側の連結用タブ６に取り付けられている（図５参照）。図中の８ａはファスナー８の開閉操作用ツマミである。
【００１７】
しかして、このレインコート上衣２を上着１のポケット３に収納し、レインコート上衣側連結用タブ７をポケット３内の連結用タブ６に連結するには、このレインコート上衣２を小さく折り畳んで、この折り畳んだレインコート上衣２を上着１のポケット３に入れ、レインコート上衣２の後身頃２ｂの裏面に取り付けてある連結用タブ７のホック雄部９ａを、ポケット３内に取り付けてある連結用タブ６のホック雌部９ｂに押し込んで係着し、図２及び図５に示すような状態とすればよい。
【００１８】
上着１の後身頃１ｂは、前記したように後身頃本体１ｂ1 とこれの略上半部側を被う外外被布１ｂ2 からなるものであるが、図１の(b) や図２から分かるように、外被布１ｂ2 の裾部１ｂ20によりポケット３の開口部４を外側から被い隠すようになっているために、ポケット３の開口部４及びファスナー５が外から見えず、外観上の体裁、見栄えが良くなる。また、外被布１ｂ2 の裾部１ｂ20は、ポケット３の上端所要部にホック１０（又はボタン）で留めるようになっている。尚、図５において１０ａはホック１０のホック雄部、１０ｂはホック雌部を示す。
【００１９】
次に、上記のように構成されるレインコート付き上着Ａの使用方法について説明する。図６の(a) は、背中側のポケット３にレインコート上衣２を収納した上着１を着用した使用者が、そのポケット３内のレインコート上衣２を取り出し始める様子を示したもので、この状態から外被布１ｂ2 のホック１０を外し、ポケット３のファスナー７を開放操作しする。同図の(b) はポケット３の開口部４からレインコート上衣２を引き出した状態を示す。
【００２０】
図７はポケット３の開口部４からレインコート上衣２を引き出した状態をさらに詳細に図示したものである。即ち、着用者が着ている上着１のポケット３からレインコート上衣２を下方へ引っ張り出すと、レインコート上衣２は、図示のようにフード２ｄが下側に位置して、着用者が着ている上着１とは上下逆向きとなるが、レインコート上衣２には後身頃１ｂの裏面側でポケット側連結用タブ６の取付位置と対応する位置に連結用タブ７が取り付けてあって、このレインコート上衣側連結用タブ７とポケット側連結用タブ６とがホック９で連結されていることから、ポケット３から引き出した図７に示すような逆様状態のレインコート上衣２を、上着１と同じ上向き姿勢に引き起こしながら、このレインコート上衣２を上着１の上に羽織るようにすることによって、レインコート上衣側連結用タブ７をポケット３の連結用タブ６に連結した状態のまま、上着１の上からレインコート上衣２を簡単容易に着ることができる。
【００２１】
また図５には、レインコート上衣２を折り畳んで、その連結用タブ７をポケット３側の連結用タブ６に連結した状態を実線で示すと共に、両連結用タブ６，７を連結したままでレインコート上衣２をポケット３から引き出して上着１の上から着た状態でのレインコート上衣２の後身頃２ｂ部分を仮想線で示している。
【００２２】
図８は上記のようにして上着１の上からレインコート上衣２を着用した状態を示したものである。尚、ポケット３から引き出したレインコート上衣２を引き起こしながら上着１の上から着る際には、レインコート上衣２のファスナー８を開放操作して前身頃１ａ及びフード２ｄを開いた状態にしておく必要がある。
【００２３】
上記のように上着１の上にレインコート上衣２を着用した状態からレインコート上衣２を脱ぐ時には、レインコート上衣２のファスナー８を開放操作して前身頃１ａ及びフード２ｄを開いた状態でレインコート上衣２の脱げばよい。しかして、このレインコート上衣２をポケット３に収納するには、上着１を脱いでから、この上着１のポケット３にレインコート上衣２を小さく折り畳んで、この折り畳んだレインコート上衣２を上着１のポケット３に入れ、レインコート上衣２の後身頃２ｂに取り付けられた連結用タブ７のホック雄部９ａを、ポケット３内に取り付けてある連結用タブ６のホック雌部９ｂに押し込んで係着すればよい。
【００２４】
以上説明したようなレインコート付き上着Ａによれば、上着１を着て屋外でスポーツや作業等を行なっている最中に雨が降ってきたような場合に、上着１の背中側にあるポケット３からレインコート上衣２を取り出し、上記のような要領でレインコート上衣２を上着１の上から簡単容易に着ることができる。
【００２５】
この実施形態では、レインコート上衣２側の連結用タブ７と、ポケット３側の連結用タブ６とをホック９によって連結するようにしているが、このホック９に代えて、ボタンにより連結するようにしてもよい。尚、レインコート上衣２側の連結用タブ７と、ポケット３側の連結用タブ６とを互いに縫い付けるなどして、容易に切り離しできない状態に連結してもよいが、両者をホックやボタンによって連結するようにしておけば、レインコートを使用後に屋外に干して乾かしたり、洗濯する場合に都合がよい。
【００２６】
また、上記した説明において、レインコート上衣２には後身頃１ｂの裏面側でポケット側連結用タブ６の取付位置と対応する位置に連結用タブ７を取り付けるようにするとは、上着１の上からレインコート上衣２を着た時にポケット側連結用タブ６の取付位置と互いに重なり合うような位置に連結用タブ７を取り付けることを意味する。
【図面の簡単な説明】
【００２７】
【図１】(a) は本発明のレインコート付き上着の正面図、(b) は背面図である。
【図２】同レインコート付き上着のポケットを開けた状態での背面図である。
【図３】レインコートの使用形態での正面図である。
【図４】同レインコートの使用形態での背面図である。
【図５】レインコート上衣をポケットに収納した状態の拡大断面図である。
【図６】(a) は背中側のポケットにレインコート上衣を収納した上着を着用した使用者が、そのポケット内のレインコート上衣を取り出し始める様子を示す斜視図であり、(b )はポケットからレインコート上衣を引き出した状態を示す斜視図である。
【図７】ポケットからレインコート上衣を引き出した状態をさらに詳細に示す斜視図である。
【図８】上着の上からレインコート上衣を着用した状態を示す斜視図である。
【符号の説明】
【００２８】
１            上着
２            レインコート上衣
３            ポケット
４            ポケットの開口部
５            ポケット開口部のファスナー
６            ポケット側連結用タブ
７            レインコート上衣側連結用タブ
【図１】
2007327145.tif 000003
【図２】
2007327145.tif 000004
【図３】
2007327145.tif 000005
【図４】
2007327145.tif 000006
【図５】
2007327145.tif 000007
【図６】
2007327145.tif 000008
【図７】
2007327145.tif 000009
【図８】
2007327145.tif 000010